(57)【要約】【課題】  紙資源の無駄を出さず、また個人データの入力を必要としないくじ引きシステム、くじ引き方法及びＲＦタグを提供する。【解決手段】  シリアルＩＤを有するタグ端末３００を搭載した名札を付けてホストアンテナ部３０６の通信エリアに集まり、次にホスト制御部３０２を用いて各タグ端末３００からのシリアルＩＤを読み出しホストメモリ部３０３に記憶させる。次にホスト制御部３０２を用いて乱数を発生させ、当たり等の順位情報をシリアルＩＤと関連付けて作成し、各タグ端末３００に送信し、タグ端末が持つ不揮発性のタグ表示部３１３に当たり等の順位情報を表示させる。【選択図】      図３
2006079232.tif 000002
【特許請求の範囲】
【請求項１】
不揮発性の記憶部もしくは、電池によりバックアップされ等価的に不揮発性を有する記憶部を備え、シリアルＩＤを割り付けられた単独もしくは複数のＲＦタグと、
予め設定されているくじ順位の制御情報に基づいて、前記ＲＦタグのシリアルＩＤに対応したくじの順位情報を発生させるホストコンピュータと、
前記ＲＦタグに割り付けられている前記シリアルＩＤを読み出し、前記ホストコンピュータに出力するとともに、前記ホストコンピュータから出力された前記シリアルＩＤと前記シリアルＩＤに対応したくじの順位情報を受信し前記ＲＦタグに出力する第１リーダ・ライタと、
前記ＲＦタグが前記シリアルＩＤに対応したくじの順位情報を不揮発性の記憶部もしくは、電気的にバックアップされ等価的に不揮発性を持つ記憶部に記憶した後、前記ＲＦタグに表示要求信号を出力する第２リーダ・ライタと、
前記第２リーダ・ライタからの表示要求信号を受けて、くじの順位情報を表示する、前記ＲＦタグに付随した表示部とを有することを特徴とするくじ引きシステム。
【請求項２】
前記ＲＦタグは繰り返し使用されることを特徴とする請求項１に記載のくじ引きシステム。
【請求項３】
前記第１リーダ・ライタと前記第２リーダ・ライタは同一のものであることを特徴とする請求項１に記載のくじ引きシステム。
【請求項４】
表示部を有する単独あるいは複数のＲＦタグに対して割り付けられている個々のシリアルＩＤを第１リーダ・ライタに送信するステップと、
前記第１リーダ・ライタに送信された前記シリアルＩＤをホストコンピュータに伝送するステップと、
前記ホストコンピュータに予め設定されているくじ順位の制御情報に基づいて、前記ホストコンピュータにより各シリアルＩＤに対応したくじの順位情報を発生させるステップと、
前記順位情報を、前記ホストコンピュータから前記第１リーダ・ライタに伝送するステップと、
前記第１リーダ・ライタから前記順位情報を前記ＲＦタグに送信するステップと、
送信された前記順位情報を前記ＲＦタグの不揮発性の記憶部もしくは電池によりバックアップされ等価的に不揮発性を有する記憶部に記憶させるステップと、
前記順位情報を前記記憶部に記憶させた前記ＲＦタグが一つあるいは複数個第２リーダ・ライタの通信圏外に存在している時、通信圏外にある前記ＲＦタグを第２リーダ・ライタの通信圏に配置するステップと、
前記ホストコンピュータの入力インターフェースに与えられた表示要求信号により、前記ホストコンピュータが、前記第２リーダ・ライタを経由して表示要求信号を前記ＲＦタグに送信し、前記ＲＦタグの前記タグ記憶部に記憶されている前記順位情報を前記表示機能により表示させるステップとを備えたくじ引き方法。
【請求項５】
請求項１に記載のくじ引きシステムに用いられるＲＦタグであって、
不揮発性の記憶部もしくは、電池によりバックアップされ等価的に不揮発性を有する記憶部と、
前記ＲＦタグごとに与えられるユニークなシリアルＩＤと、
第１リーダ・ライタを経由してホストコンピュータに前記シリアルＩＤを送信する送信部と、
前記ホストコンピュータより発信され前記第１リーダライタを経由して、前記シリアルＩＤに対応した順位情報を受信する受信部と、
第２リーダ・ライタより送られてきた表示要求信号を受けて、くじの順位情報を表示する表示部とを有することを特徴とするＲＦタグ。
【発明の詳細な説明】
【技術分野】
【０００１】
本発明は、表示手段を備えたＲＦタグを用いたくじ引きシステム、くじ引き方法及びＲＦタグに関する。
【背景技術】
【０００２】
くじ引きは、商店の記念セールや、福引き、縁日など、広い範囲で行なわれている。これらくじ引きについてはいろいろなくじ引き方法が提案されている。例えば、一般に用いられているくじ引き方法としては、特許文献１にあるように、紙上に印刷された順位情報を、別に設けられた表示を隠す紙と重ねておき、くじを引いた後、くじ引き者がこの隠す紙をはがして順位情報を確認する方法が知られている。
【０００３】
また、特許文献２では、全てオンラインでくじ引きを行ない、くじの購入、抽選、当たりの時の配当など、全て顧客端末より操作できるようにした方法が提案されている。
【０００４】
また、特許文献３では、ＩＣカードを用い、くじ購買者の暗証番号、個人データ等を販売店舗等に設置した端末機にて記録し、これらのデータをくじシステムのデータセンタのホストコンピュータに送信して該購買者に対するくじ番号を決定し、前記暗証番号、個人データ等とともに前記くじ番号も記憶させ、当選番号の決定後、記憶されていたデータをもとに配当を行なうくじシステムが提案されている。
【０００５】
【特許文献１】特開２００２−１６６６８２号公報
【特許文献２】特開２００２−７３８８１号公報
【特許文献３】特開平７−２６２３２５号公報
【発明の開示】
【発明が解決しようとする課題】
【０００６】
しかしながら、特許文献１に示された、紙上に印刷された順位情報を記したくじを用いたくじ引きシステムを用いた場合、くじ引き終了後のくじは通常廃棄されるため、紙資源の無駄が発生するという問題があった。また、開封のために切り離された接着代は、ごみとして周囲に捨てられる場合があり、環境面でも問題があった。
【０００７】
また、特許文献２に示されたオンラインくじサービスシステムを用いた場合、くじに関する操作が全てオンライン化されているため、形あるものに触れることなくくじ引きが行なわれるため、興趣に欠けるという問題があった。
【０００８】
また、特許文献３に示されたシステムでは、ＩＣカードという実体を用いるため、くじ引き操作に現実感が得られるという利点は有しているが、ＩＣカードで個人を認証するためにパスワードなどの情報を入力する必要があり、面倒かつプライバシーが侵害されるおそれがあるという問題があった。
【０００９】
そこで本発明は、紙資源の無駄を出さず、かつ形あるものを用い、さらに個人認証データの入力を必要としないくじ引きシステム、くじ引き方法及びＲＦ（Radio Frequency）タグを提供することを目的としている。
【課題を解決するための手段】
【００１０】
上記目的を達成するために、本発明のくじ引きシステムは、不揮発性の記憶部もしくは、電池によりバックアップされ等価的に不揮発性を有する記憶部を備え、シリアルＩＤを割り付けられた単独もしくは複数のＲＦタグと、予め設定されているくじ順位の制御情報に基づいて、前記ＲＦタグのシリアルＩＤに対応したくじの順位情報を発生させるホストコンピュータと、前記ＲＦタグに割り付けられている前記シリアルＩＤを読み出し、前記ホストコンピュータに出力するとともに、前記ホストコンピュータから出力された前記シリアルＩＤと前記シリアルＩＤに対応したくじの順位情報を受信し前記ＲＦタグに出力する第１リーダ・ライタと、前記ＲＦタグが前記シリアルＩＤに対応したくじの順位情報を不揮発性の記憶部もしくは、電気的にバックアップされ等価的に不揮発性を持つ記憶部に記憶した後、前記ＲＦタグに表示要求信号を出力する第２リーダ・ライタと、前記第２リーダ・ライタからの表示要求信号を受けて、くじの順位情報を表示する、前記ＲＦタグに付随した表示部とを有している。
【００１１】
この構成によれば、等価的に不揮発性を持つ記憶部を有しているため、各ＲＦタグにシリアルＩＤ情報を不揮発的に保持することができる。そのため、各ＲＦタグから、第１リーダ・ライタを経由してホストコンピュータにシリアルＩＤを送信し、ホストコンピュータにより各シリアルＩＤと関連付けられたくじの順位情報を発生することができる。
【００１２】
ホストコンピュータが発生した、各シリアルＩＤと関連付けられたくじの順位情報は各ＲＦタグに送信され、各ＲＦタグに付随した表示部により表示される。
【００１３】
このようにＲＦタグに直接当たり等の順位情報が表示されるため、くじ引きの結果を見るために表示端末まで足を運ぶ必要がなく、その場で順位情報を確認することができる。
【００１４】
また、くじ引きの実行に際して、くじ引き人には暗証番号等、くじ引き人のプライバシーに関する情報を入力する必要がないのでくじ引き人のプライバシーを尊重した形でくじ引きを行なうことができる。さらに、くじ引き人は、くじとなるＲＦタグをくじ引き人自ら選ぶことができるため、くじ引き人が引きたいと思うくじを選んでくじ引きを行なうことができる。
【００１５】
また、本発明のくじ引きシステムは、前記ＲＦタグは繰り返し使用されることを特徴とする。
【００１６】
この構成によれば、ＲＦタグは繰り返し使用できるため、紙を使用したくじ引きシステムのように、くじ引きのたびごとにごみを出すことがない。
【００１７】
また、本発明のくじ引きシステムは、前記第１リーダ・ライタと前記第２リーダ・ライタは同一のものであることを特徴とする。
【００１８】
この構成によれば、くじ引き人は第１リーダ・ライタの送受信可能な領域と、第２リーダ・ライタの送受信可能な領域を移動することなく、一ヶ所でくじ引きを実行することができる。
【００１９】
また、本発明のくじ引き方法は、表示装置を有する単独あるいは複数のＲＦタグに対して割り付けられている個々のシリアルＩＤを第１リーダ・ライタに送信するステップと、前記第１リーダ・ライタに送信された前記シリアルＩＤをホストコンピュータに伝送するステップと、前記ホストコンピュータに予め設定されているくじ順位の制御情報に基づいて、前記ホストコンピュータにより各シリアルＩＤに対応したくじの順位情報を発生させるステップと、前記順位情報を、前記ホストコンピュータから前記ＲＦタグの前記第１リーダ・ライタに伝送するステップと、前記第１リーダ・ライタから前記順位情報を、前記ＲＦタグに送信するステップと、送信された前記順位情報を前記ＲＦタグの不揮発性の記憶部に記憶させるステップと、前記順位情報を前記記憶部に記憶させた前記ＲＦタグを一つあるいは複数個第２リーダ・ライタの通信圏に配置するステップと、前記ホストコンピュータの入力インターフェースに与えられた表示要求信号により、前記ホストコンピュータが、前記第２リーダ・ライタを経由して表示要求信号を前記ＲＦタグに送信し、前記ＲＦタグの前記タグ記憶部に記憶されている前記順位情報を前記表示装置により表示させるステップとを備えている。
【００２０】
この方法によれば、ＲＦタグに直接当たり等の順位情報が表示されるため、くじ引きの結果を見るために表示端末まで足を運ぶ必要がなく、その場で順位情報を確認することができる。また、当たり等の確率をくじ引き直前まで変えることができるため、景品の過不足等の問題を生じることなくくじ引きを行なうことができる。
【００２１】
また、本発明のＲＦタグは、不揮発性の記憶部もしくは、電池によりバックアップされ等価的に不揮発性を有する記憶部と、前記ＲＦタグごとに与えられるユニークなシリアルＩＤと、第１リーダ・ライタを経由してホストコンピュータに前記シリアルＩＤを送信する送信部と、前記ホストコンピュータより発信され前記第１リーダライタを経由して、前記シリアルＩＤに対応した順位情報を受信する受信部と、第２リーダ・ライタより送られてきた表示要求信号を受けて、くじの順位情報を表示する表示部とを有することを特徴とする。
【００２２】
この構成によれば、本発明のＲＦタグを上記くじ引きシステムに用いることにより、当たり等の順位情報を手元で確認することができる。また、当たり等の順位情報はリーダ・ライタから離れた場所であっても消失してしまうことがない。
【発明を実施するための最良の形態】
【００２３】
本発明を具体化した一実施形態について説明する。本実施形態は、新製品発表会のように多数の人が胸に名札をつけて集まっている状況で行なわれるくじ引きであって、名札の一部に電気泳動表示素子を用いたＲＦタグが付けられており、適当な時刻にくじ引きが行なわれ、その時刻に発表会会場にいた人を対象として行なわれるくじ引きについての実施形態である。
【００２４】
以下本実施形態について図面を参照して説明する。図１は、ホストコンピュータ及びリーダ・ライタの構成を示す構成図である。
【００２５】
ホストコンピュータ１００は、ＣＰＵ１０１、ＲＯＭ１０２、ＲＡＭ１０３、入力インターフェース部１０５、出力インターフェース部１０６を備え、これらは、バス部１０４を介して接続されている。
またホストコンピュータ１００の入力インターフェース部１０５にはキーボードやマウス等からなる入力部１０７とリーダ・ライタ１１２の無線受信部１１０とが接続されており、出力インターフェース部１０６にはＬＣＤ（ Liquid Crystal Display：液晶表示画面）等からなる表示部１０８とリーダ・ライタ１１２の無線送信部１０９とが接続されている。また、無線送信部１０９、無線受信部１１０には送信と受信を共用しているリーダ・ライタ１１２のアンテナ部１１１が接続されている。
【００２６】
ＣＰＵ１０１は入力されたデータ等を演算するものである。ＲＯＭ１０２は読み出し専用メモリであり、ＣＰＵ１０１が必要とするＯＳ等の情報が記憶されている。ＲＡＭ１０３はハードディスクやメモリ等により構成されており、例えばキーボード等からなる入力部１０７から入力インターフェース部１０５を通して与えられた当たり等の順位情報や、ＣＰＵ１０１による乱数発生の演算結果等を一旦蓄えておくものである。
【００２７】
入力インターフェース部１０５は、キーボード等の媒体から、読み取り装置などの入力部１０７に与えられる情報をホストコンピュータが扱える信号形式に変換するものであり、出力インターフェース部１０６は、ホストコンピュータ１００より得られた情報等を表示部１０８で扱える形式に変換するものである。表示部１０８は、例えば液晶表示画面からなり、当たり等の順位情報を提示するものである。
【００２８】
リーダ・ライタ１１２の無線送信部１０９は、無線通信を用いて、ＲＦタグ２００に情報の送信を行なうよう情報を変換するものである。無線通信用に変換された情報はアンテナ部１１１を介してＲＦタグ２００に信号を送るアンテナ部２０１に送られる。また、無線送信部１０９は信号と共にＲＦタグ２００を動作させるための電力も供給しており、アンテナ部１１１を介してＲＦタグ２００が備えているアンテナ部２１１に電波の形式で電力を供給している。
【００２９】
無線受信部１１０は、ＲＦタグ２００が備えているアンテナ部２１１から送信された無線情報をアンテナ部１１１により受信して、ホストコンピュータ１００の入力インターフェース部１０５を介してホストコンピュータ１００に情報を伝達するためのものである。
【００３０】
図２は、ＲＦタグの構成を示した構成図である。ＲＦタグ２００は、ＣＰＵ２０１、ＲＯＭ２０２、ＲＡＭ２０３、ＥＥＰＲＯＭ２０４、無線送信部２０６、無線受信部２０７、出力インターフェース２０８を備え、これらは、バス部２０９を介して接続されている。また出力インターフェース部２０８には電気泳動表示素子２１０が接続されている。また、無線送信部２０６、無線受信部２０７には送信と受信とで共用されているアンテナ部２１１が接続されている。また、アンテナ部２１１には、無線信号を元に電力を得るための電力生成部２０５が接続されている。
【００３１】
電力生成部２０５は、アンテナ部２１１が受けた無線電波から電力を生成し、ＲＦタグ２００が動作するために必要な電力を供給する。ＣＰＵ２０１は、無線受信部２０７からバス部２０９を経由して与えられる、ホストコンピュータ１００からの情報等を処理するものである。ＲＯＭ２０２は読み出し専用メモリであり、ＣＰＵ２０１の動作に必要なプログラム等の情報が記憶されている。ＲＡＭ２０３はメモリにより構成されており、例えばＣＰＵ２０１の演算結果等を一旦蓄えておくものである。ＥＥＰＲＯＭ２０４は、電気的に記憶内容が変更可能なＲＯＭで、ＲＦタグ２００のシリアルＩＤやくじの順位情報等、ホストコンピュータ１００からの電力供給が遮断された後でも保持しておくべき情報を蓄えておくものである。
【００３２】
出力インターフェース部２０８は、ＣＰＵ２０１から送られた情報等を電気泳動表示素子２１０で扱える形式に変換するものである。電気泳動表示素子２１０は、当たり等のＲＦタグ２００に与えられた順位情報を提示するものである。
【００３３】
無線送信部２０６は、無線通信を用いて、ＲＦタグ２００から情報の送信を行なえるよう情報を変換するものである。無線通信用に変換された情報はアンテナ部２１１を介してリーダ・ライタ１１２が備えているアンテナ部１１１に送られる。リーダ・ライタ１１２の無線受信部１１０は、ＲＦタグ２００が駆動するアンテナ部２１１から送信された無線情報をリーダ・ライタ１１２のアンテナ部１１１により受信して、ホストコンピュータ１００の入力インターフェース部１０５を介してホストコンピュータ１００に受信した情報を伝達するものである。
【００３４】
図３は、ホストコンピュータを用いてタグ端末に順位情報を記憶・表示させるシステムのブロック図である。以下このブロック図に沿って説明を行なう。
【００３５】
ホスト制御部３０２とホストメモリ部３０３は図１におけるホストコンピュータ１００に対応するものであり、くじ引き開始指示部３０１からの信号を受けてホスト制御部３０２はくじ引きシステムの実行を開始するものである。ホストメモリ部３０３は、ホスト制御部３０２のＯＳや、ホスト制御部３０２から送られてきた情報を一時記憶するためのメモリであり、図１に記載のＲＯＭ１０２及びＲＡＭ１０３に対応している。
【００３６】
ホスト受信部３０４とホスト送信部３０５とホストアンテナ部３０６は、図１におけるリーダ・ライタ１１２に属するもので、ホスト受信部３０４は無線受信部１１０に、ホスト送信部３０５は無線送信部１０９に、ホストアンテナ部３０６はアンテナ部１１１にそれぞれ対応している。
【００３７】
タグ端末３００は、図２におけるＲＦタグ２００に対応している。タグアンテナ部３０７は図２におけるアンテナ部２１１、タグ電力生成部３０８は図２における電力生成部２０５に対応している。同様にして、タグ受信部３０９は無線受信部２０７、タグ送信部３１０は無線送信部２０６、タグ制御部３１１はＣＰＵ２０１、タグメモリ部３１２は、ＲＯＭ２０２とＲＡＭ２０３とＥＥＰＲＯＭ２０４、タグ表示部３１３は出力インターフェース部２０８と電気泳動表示素子２１０、にそれぞれ対応している。
【００３８】
くじ引き開始指示部３０１はまず、ホスト制御部３０２にくじ引き開始を指示するくじ引き開始信号を送信する。くじ引き開始指示部３０１から信号を受けたホスト制御部３０２は、ホスト送信部３０５に、タグ端末３００に当該タグ端末３００のシリアルＩＤを送信させる指示信号を送信する。
【００３９】
指示信号を受けたホスト送信部３０５は、指示信号を電波に変換し、ホストアンテナ部３０６を通して、タグ端末３００のタグアンテナ部３０７に送信する。ここで、タグアンテナ部３０７に受信された電波から、タグ電力生成部３０８により、タグ端末３００を動作させるための電力が生成され、タグ電力生成部３０８から供給された電力によってタグ端末３００は電気的動作を開始する。
【００４０】
タグ電力生成部３０８から電力の供給を受け、電気的動作を開始したタグ端末３００は、タグアンテナ部３０７を通して指示信号を受信する。タグアンテナ部３０７から指示信号を受けたタグ受信部３０９は、電波の形式で受けた指示信号をタグ制御部３１１が認識できる信号形式に変換した後、タグ制御部３１１に指示信号を送信する。
【００４１】
指示信号を受けたタグ制御部３１１は、タグメモリ部３１２からシリアルＩＤを受信する。なお、シリアルＩＤは不揮発性メモリ中に記憶されており、タグ端末への電波の供給が止まっていても記憶は保持されている。
【００４２】
シリアルＩＤを受信したタグ制御部３１１は、シリアルＩＤをタグ送信部３１０に送信する。そしてシリアルＩＤを受信したタグＩＤ送信部３１０は、指示信号を電波に変換し、タグアンテナ部３０７を通してホストアンテナ部３０６に送信する。ここで、ホストアンテナ部３０６で受信したシリアルＩＤは、ホスト受信部３０４により電波の形式で受けた指示信号をホスト制御部３０２が認識できる信号形式に変換した後、ホスト制御部３０２に送信される。
【００４３】
シリアルＩＤを受信したホスト制御部３０２は、シリアルＩＤをホストメモリ部３０３に記憶させる。その後、ホスト制御部３０２は、シリアルＩＤをホストメモリ部３０３に記憶させたという信号をタグ端末３００に送信する。
【００４４】
信号は、ホスト送信部３０５、ホストアンテナ部３０６、タグアンテナ部３０７、タグ受信部３０９を経由して、タグ制御部３１１に送信される。続けて、タグ制御部３１１は不揮発性の表示装置を用いたタグ表示部３１３に、ホストメモリ部３０３にシリアルＩＤが受信されたことを表示させる（例えば、タグ表示部３１３の画面に「くじ引き中」等と表示させる）。
【００４５】
なお、タグ端末３００が複数ある場合には、同様な処理を各タグ端末３００毎について行ない、送受信可能なタグ端末３００のシリアルＩＤを全てホストメモリ部３０３に記憶する。この際、タグ表示部３１３の表示が、ホストメモリ部３０３にシリアルＩＤが受信された状態への表示に切り替わっていないタグ端末３００が存在した場合、そのタグ端末３００を改めてホストアンテナ部３０６のそばに配置、具体的にはくじ引き人がホストアンテナ部３０６のそばにくるようにした後、再度くじ引き開始指示部３０１からホスト制御部３０２にくじ引き開始を指示するくじ引き開始信号を送信する。
【００４６】
対象となる全てのタグ端末３００と通信できた状態とした後、ホスト制御部３０２は、ホストメモリ部３０３に予め記憶してある、当たり等の確率情報を元に、乱数等を用いて各シリアルＩＤに当たり等の順位情報を割り付け、タグ端末３００にシリアルＩＤと関連付けられた順位情報を送信する。
【００４７】
ホスト制御部３０２から出力されたシリアルＩＤと関連付けられた順位情報は、ホスト送信部３０５、ホストアンテナ部３０６、タグアンテナ部３０７、タグ受信部３０９を経由してタグ制御部３１１に送信される。
【００４８】
タグ制御部３１１は、タグ受信部３０９から送られてきた信号を判断し、タグ端末３００のシリアルＩＤと同じシリアルＩＤに割り付けられている順位情報を受け取ったときのみ、順位情報をタグメモリ部３１２にある不揮発性メモリに順位情報を記憶させる。
【００４９】
次に、くじ引き開始指示部３０１はホスト制御部３０２にくじ引き開票信号を送信する。くじ引き開票信号を受信したホスト制御部３０２は、くじ引き開票信号をホスト送信部３０５、ホストアンテナ部３０６、タグアンテナ部３０７、タグ受信部３０９を経由して、タグ制御部３１１に送信する。タグ制御部３１１は、不揮発性の表示装置を用いたタグ表示部３１３に順位情報を表示させるよう命令を送信する。
【００５０】
次に、くじ引きを実行するステップをフローチャートを用いて説明する。図４は本発明のくじ引きシステムのブロック図である図３の構成を用いてくじ引きを実行する時のフローチャートである。
【００５１】
まず、ステップＳ１では、くじ引き開始前に、ホストアンテナ部３０６のそばにタグ端末３００を集めるように配置する。くじ対象者の胸にピンで付けられた名札上にタグ端末３００が設置されている本実施形態では、くじ対象者にホストアンテナ部３０６の通信エリア内に集まってもらうことで実現される。
【００５２】
次にステップＳ２では、くじ引き開始指示部３０１よりくじ引き開始信号を受けたホスト制御部３０２は、ホスト送信部３０５、ホストアンテナ部３０６、タグアンテナ部３０７、タグ受信部３０９を経由して、タグ制御部３１１にくじ引き開始信号を送信する。
【００５３】
次にステップＳ３では、タグ制御部３１１は、この信号を受けてタグメモリ部３１２からシリアルＩＤを読み出す。
【００５４】
シリアルＩＤを読み出したタグ制御部３１１は、タグ送信部３１０、タグアンテナ部３０７、ホストアンテナ部３０６、ホスト受信部３０４を経由してホスト制御部３０２にシリアルＩＤを送信する。
【００５５】
次にステップＳ４では、ホスト制御部３０２は、タグ端末３００のシリアルＩＤを受信した後、シリアルＩＤが伝達されたことを示す信号をタグ端末３００に送信する。ホスト制御部３０２は、シリアルＩＤが伝達されたことを示す信号をホスト制御部３０２から、ホスト送信部３０５、ホストアンテナ部３０６、タグアンテナ部３０７、タグ受信部３０９を経由してタグ制御部３１１に送る。
【００５６】
次にステップＳ５では、シリアルＩＤを受信したという信号を受けたタグ制御部３１１は、タグ表示部３１３に、”くじ引き中”や”当たり決定中”という表示を出すようタグ表示部３１３に指示を送る。
【００５７】
次にステップＳ６では、対象となる全てのＲＦタグ２００のタグ表示部３１３の表示が、”くじ引き中”や”当たり決定中”になっていることを確認する。もし、”くじ引き中”になっていないタグ表示部３１３があった場合、当該ＲＦタグ２００を有する人がホストアンテナ部３０６のそばに行くようにするなどして、全てのタグ表示部３１３の表示が「くじ引き中」になるようにする。
【００５８】
次にステップＳ７では、ホスト制御部３０２が発生した乱数等の情報と、予め与えられていた当たりの確率を用いて決定した当たり等の順位情報をシリアルＩＤ毎に割り付ける。例えば、１等の確率を百分の一にする場合、任意のシリアルＩＤに対応して、０から１００の間でホスト制御部３０２で乱数を発生させ、乱数の値が０以上１未満であった場合、１等とすることで公平に当たりを振り分けることができる。なお、一等の確率を決める場合、くじの総数を元に確率を定めると都合がよい。例えば、１等の商品を５個用意し、くじ総数が７５本あったとすれば、乱数を０から７５までの範囲で発生させ、０以上５未満の値であったとき一等とすれば、くじ総数に対応した確率でくじ引きが可能となる。
【００５９】
次に、ステップＳ８では、Ｓ７で各シリアルＩＤ毎に割り付けられた順位情報をタグ端末３００に送信する。ホスト制御部３０２は、ホスト制御部３０２が生成した、シリアルＩＤ毎に割り付けられた順位情報を、ホスト制御部３０２からホスト送信部３０５、ホストアンテナ部３０６、タグアンテナ部３０７、タグ受信部３０９を経由して、タグ制御部３１１に送信する。
【００６０】
次に、ステップＳ９では、くじ引き開始指示部３０１はくじ引き開票信号をホスト制御部３０２に送信する。くじ引き開票信号を受けたホスト制御部３０２は、くじ引き開票信号をホスト送信部３０５、ホストアンテナ部３０６、タグアンテナ部３０７、タグ受信部３０９を経由して、タグ制御部３１１に送信する。くじ引き開票信号を受信したタグ制御部３１１は、タグ表示部３１３に順位情報を表示させる信号を送信する。タグ表示部３１３は、この信号を受けて順位情報を、タグ表示部３１３に表示する。ここで、くじ対象者は自分のつけているタグ端末３００が何等の当たりになっているのかなどを知ることとなる。
【００６１】
次に、ステップＳ１０では、順位情報に基づいて景品を配る等の処理を行ない、くじ引きが完了する。また、胸に付けていたタグ端末３００は、くじ引き終了後に回収し、再びくじ引きに用いる。
【００６２】
以上述べたようにしていくことで、くじ引きを行なうことができる。この方式を用いた場合、くじ引き時点で名札をつけて会場にいる人数を把握した状態でくじ引きが行なえるため、当たりの数を過不足なく配当できるため、当たりの品物が余ったり、不足したりすることなくくじ引きを行なうことが可能となる。
【００６３】
以下、実施形態の効果を記載する。
【００６４】
（１）ＲＦタグ２００に直接当たり等の順位情報が表示されるため、くじ引きの結果を見るために表示端末まで足を運ぶ必要がなく、その場で順位情報を確認することができる。
【００６５】
（２）ＲＦタグ２００は再利用されるため、紙を用いたくじ引きと比べごみが発生しないため、環境負荷を小さくできる。また、紙を用いてくじ引きを行なうと当日の参加者の集まり具合で当たりの確率を変えることは困難であるが、本発明のくじ引きシステムを用いれば、くじ引き直前まで当たりの確率を調整できるため、賞品を過不足なく配布することができる。
【００６６】
（３）リーダ・ライタ１１２をＲＦタグ２００への順位情報書き込みとＲＦタグ２００上での順位情報表示要請の両方の目的に用いているため、くじ引き人はリーダ・ライタ１１２のアンテナ部１１１の近傍にいるだけでくじ引きが実行でき、他のリーダ・ライタの通信可能領域に移動する必要がない。
【００６７】
（４）ＲＦタグ２００の表示画面が、「くじ引き中」、「当たり決定中」等くじ引きが完了するまでに多岐にわたるメッセージを表示させることが可能であるため、くじ引き人が退屈することなく、順位決定を待つことができる。
【００６８】
（５）ＲＦタグ２００の表示画面を用いることで当たり等の順位情報を手元で確認することができる。また、当たり等の順位情報はリーダ・ライタから離れた場所であっても消失してしまうことがない。
【００６９】
（変形例１）前記実施形態では、一つのリーダ・ライタ１１２をＲＦタグ２００にくじの順位情報を不揮発性の記憶装置に記憶させる動作と、ＲＦタグ２００に表示要求信号を出力させる動作を行なわせているが、これは、別のリーダ・ライタを用いて行なってもよい。例えば福引き等に本発明を適用する場合、福引き人に福引き券の枚数分だけ第１のリーダ・ライタにより書き込み済みのＲＦタグを選んでもらい、別の場所に設けられた、表示要求信号を出力させる第２のリーダ・ライタの受信圏に運びＲＦタグの表示を参照することで、紙を用いた福引きと同等の興趣を実現することができる。
【００７０】
（変形例２）前記実施形態では、ＲＦタグ２００にくじの順位情報を記憶させるときにＥＥＰＲＯＭ２０４に記憶させているが、これは必ずしもＥＥＰＲＯＭという記憶装置を用いなくとも良い。例えば、電気泳動表示素子２１０に情報を表示させ、その後電気泳動表示素子２１０への駆動を停止し、電気泳動表示素子２１０のメモリ効果を用いて記憶する手段などを用いても良く、電波の供給が途絶えてもくじの順位情報が保持できる手段であれば用いることができる。
【図面の簡単な説明】
【００７１】
【図１】ホストコンピュータの構成を示す構成図。
【図２】ＲＦタグの構成を示した構成図。
【図３】タグ端末に順位情報を記憶・表示させるためのブロック図。
【図４】くじ引きを実行するときのフローチャート。
【符号の説明】
【００７２】
１００…ホストコンピュータ、１０１…ＣＰＵ、１０２…ＲＯＭ、１０３…ＲＡＭ、１０４…バス部、１０５…入力インターフェース部、１０６…出力インターフェース部、１０７…入力部、１０８…表示部、１０９…無線送信部、１１０…無線受信部、１１１…アンテナ部、１１２…リーダ・ライタ、２００…ＲＦタグ、２０１…ＣＰＵ、２０２…ＲＯＭ、２０３…ＲＡＭ、２０４…ＥＥＰＲＯＭ、２０５…電力生成部、２０６…無線送信部、２０７…無線受信部、２０８…出力インターフェース部、２０９…バス部、２１０…電気泳動表示素子、２１１…アンテナ部、３００…タグ端末、３０１…くじ引き開始指示部、３０２…ホスト制御部、３０３…ホストメモリ部、３０４…ホスト受信部、３０５…ホスト送信部、３０６…ホストアンテナ部、３０７…タグアンテナ部、３０８…タグ電力生成部、３０９…タグ受信部、３１０…タグ送信部、３１１…タグ制御部、３１２…タグメモリ部、３１３…タグ表示部。
【図１】
2006079232.tif 000003
【図２】
2006079232.tif 000004
【図３】
2006079232.tif 000005
【図４】
2006079232.tif 000006